(57)【要約】【課題】イチゴのように１パックの量目がある程度大きく、単価の比較的高い秤量対象物の場合、規定の重量以上且つ最小となる組み合わせを秤量するためには比較的大重量の範囲でも比較的高精度の秤量が可能な構成が必要であるしかしながら、通常計量機に使用されている重量センサーであるロードセルは、その構造上計量対象となる重量範囲に対応したサイズのものを用いる必要があり、大重量に対応する場合は必然的にその精度が低くなり、前述のような用途に用いるには問題があった。【解決手段】野菜・食品等を秤量するための計量機において、該計量機は計量素子として複数のロードセルを備え、該複数のロードセルにより負荷分散して計量を行うことで精度を維持し、且つ、該複数のロードセルの計量値を合算することで比較的大きな重量範囲の計量にも対応できるようにした計量機であり、その使用方法である。【選択図】図１
2020056645.tif 000002
【特許請求の範囲】
【請求項１】
野菜・食品等を秤量するための計量機において、
該計量機は計量素子として複数のロードセルを備え、
該複数のロードセルにより負荷分散して計量を行うことで精度を維持し、
且つ、該複数のロードセルの計量値を合算することで比較的大きな重量範囲の計量にも対応できることを特徴とする、
計量機。
【請求項２】
該複数のロードセルは、
計量皿に中心位置に対して均等な位置に配置されることを特徴とする、
請求項１記載の計量機。
【請求項３】
該複数のロードセルは、
２個を用いる場合は計量皿の両側に配置され、
３個を用いる場合は正三角形をなす配置且つその中心が計量皿に中心位置に合致する位置に配置され、
４個を用いる場合は計量皿の４隅或いは４辺の中央位置に配置されることを特徴とする、
請求項２記載の計量機。
【請求項４】
該計量皿は、
ロードセルに連接された荷台上に着脱可能に載置されることを特徴とする、
請求項１乃至３の何れか一に記載の組み合わせ計量機。
【請求項５】
該計量機は指示機構として発光素子及び／又は発音素子を備え、
該発光素子及び／又は発音素子により目標重量範囲に入っているか否か、或いは目標重量範囲からの軽重を報知することを特徴とする、
請求項１乃至４の何れか一に記載の組み合わせ計量機。
【請求項６】
該計量機に備えられる発光素子は、
ＬＥＤ素子であることを特徴とする、
請求項１乃至５の何れか一に記載の計量機。
【請求項７】
該計量機に備えられる発光素子は、
マトリクス表示素子であることを特徴とする、
請求項１乃至５の何れか一に記載の計量機。
【請求項８】
該マトリクス表示素子は、
マトリクスＬＥＤ表示素子であることを特徴とする、
請求項７記載の計量機。
【請求項９】
該計量機のマトリクスＬＥＤ表示素子による指示は、
目標重量範囲に入っている場合は丸印等のオーケーサインを表示し、
目標重量範囲を逸脱している場合は予め設定された１個あたりの標準重量に照らして引き去り或いは追加するべきこと、及び、引き去り或いは追加するべき個数を指示表示することを特徴とする、
請求項７又は８記載の計量機。
【請求項１０】
該計量機に備えられる発音素子は、
音声合成素子であることを特徴とする、
請求項１乃至５の何れか一に記載の計量機。
【請求項１１】
該計量機の音声合成素子による指示は、
目標重量範囲に入っている場合は良好等のサインを発声し、
目標重量範囲を逸脱している場合は予め設定された１個あたりの標準重量に照らして引き去り或いは追加するべき個数或いは重量、及び／又は、引き去り或いは追加された重量、及び／又は、現状の重量を示す発声を行うことを特徴とする、
請求項１０記載の計量機。
【請求項１２】
野菜・食品等を秤量するための計量機に用いるロードセルの設置において、
該ロードセルは土台となるフレーム上に嵩上げ治具を介して螺子とナットにより固定されていることを特徴とする、
計量機。
【請求項１３】
該ロードセルを固定するフレームは長さを有し、
複数のロードセルが土台となるフレーム上に嵩上げ治具を介して螺子とナットにより固定されていることを特徴とする、
請求項１乃至１２の何れか一に記載の計量機。
【請求項１４】
野菜・食品等を秤量するための計量機に用いるロードセルの設置において、
該ロードセルは土台となるフレーム上に嵩上げ治具を介して螺子とナットにより固定され、
更に、該フレーム上にはロードセル限界止め部材が設置され、
該限界止め部材は該嵩上げ治具より０．０５乃至３mmの範囲で高さが低いものを用いることを特徴とする、
請求項１２又は１３記載の計量機。
【請求項１５】
該嵩上げ治具及び／又は該限界止め部材は、
金属製或いは樹脂製であることを特徴とする、
請求項１２乃至１４の何れか一に記載の計量機。
【請求項１６】
該計量機に用いられる計量皿は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする、
請求項１乃至１５の何れか一に記載の計量機。
【請求項１７】
該計量機は、
ソフトウェアの追加或いは既に搭載されたソフトウェアの切り替えにより、
重量ランク選別（１個あたりの重さによるＳ・Ｍ・Ｌなどの重量ランクの選別計量）にも用いられることを特徴とする、
請求項１乃至１６の何れか一に記載の計量機。
【請求項１８】
該計量機は、
ＵＳＢメモリを含む外部記憶装置を接続する機構を有し、
データの保管及び管理が可能であることを特徴とする、
請求項１乃至１７の何れか一に記載の計量機。
【請求項１９】
該計量機は、
対象物品の価格データ等との統合計算を行う機能を有し、
荷受処理、出荷処理、伝票発行及びネットワークを介してのこれらのデータの転送或いは送受信が可能であることを特徴とする、
請求項１乃至１８の何れか一に記載の計量機。
【請求項２０】
野菜・食品等を秤量するための計量機の使用方法であって、
該計量機は計量素子として複数のロードセルを備え、
該複数のロードセルにより負荷分散して計量を行うことで精度を維持し、
且つ、該複数のロードセルの計量値を合算することで比較的大きな重量範囲の計量にも対応できることを特徴とする、
計量機の使用方法。
【請求項２１】
該複数のロードセルは、
計量皿に中心位置に対して均等な位置に配置されることを特徴とする、
請求項２０記載の計量機の使用方法。
【請求項２２】
該複数のロードセルは、
２個を用いる場合は計量皿の両側に配置され、
３個を用いる場合は正三角形をなす配置且つその中心が計量皿に中心位置に合致する位置に配置され、
４個を用いる場合は計量皿の４隅或いは４辺の中央位置に配置されることを特徴とする、
請求項２１記載の計量機の使用方法。
【請求項２３】
該計量皿は、
ロードセルに連接された荷台上に着脱可能に載置されることを特徴とする、
請求項２０乃至２２の何れか一に記載の組み合わせ計量機の使用方法。
【請求項２４】
該計量機は指示機構として発光素子及び／又は発音素子を備え、
該発光素子及び／又は発音素子により目標重量範囲に入っているか否か、或いは目標重量範囲からの軽重を報知し、
作業者はこれに従いピックアップ或いは対象物の増減を行うことを特徴とする、
請求項２０乃至２３の何れか一に記載の組み合わせ計量機の使用方法。
【請求項２５】
該計量機に備えられる発光素子は、
ＬＥＤ素子であることを特徴とする、
請求項２０乃至２４の何れか一に記載の計量機の使用方法。
【請求項２６】
該計量機に備えられる発光素子は、
マトリクス表示素子であることを特徴とする、
請求項２０乃至２４の何れか一に記載の計量機の使用方法。
【請求項２７】
該マトリクス表示素子は、
マトリクスＬＥＤ表示素子であることを特徴とする、
請求項２６記載の計量機の使用方法。
【請求項２８】
該計量機のマトリクスＬＥＤ表示素子による指示は、
目標重量範囲に入っている場合は丸印等のオーケーサインを表示し、
目標重量範囲を逸脱している場合は予め設定された１個あたりの標準重量に照らして引き去り或いは追加するべきこと、及び、引き去り或いは追加するべき個数を指示表示し、
作業者はこれに従いピックアップ或いは対象物の増減を行うことを特徴とする、
請求項２６又は２７記載の計量機の使用方法。
【請求項２９】
該計量機に備えられる発音素子は、
音声合成素子であることを特徴とする、
請求項２０乃至２４の何れか一に記載の計量機の使用方法。
【請求項３０】
該計量機の音声合成素子による指示は、
目標重量範囲に入っている場合は良好等のサインを発声し、
目標重量範囲を逸脱している場合は予め設定された１個あたりの標準重量に照らして引き去り或いは追加するべき個数或いは重量、及び／又は、引き去り或いは追加された重量、及び／又は、現状の重量を示す発声を行うことを特徴とする、
請求項２９記載の計量機の使用方法。
【請求項３１】
該計量機に用いられる計量皿は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする、
請求項２０乃至３０の何れか一に記載の計量機の使用方法。
【請求項３２】
該計量機は、
ソフトウェアの追加或いは既に搭載されたソフトウェアの切り替えにより、
重量ランク選別（１個あたりの重さによるＳ・Ｍ・Ｌなどの重量ランクの選別計量）にも用いられることを特徴とする、
請求項２０乃至３１の何れか一に記載の計量機の使用方法。
【請求項３３】
該計量機は、
ＵＳＢメモリを含む外部記憶装置を接続する機構を有し、
データの保管及び管理が可能であることを特徴とする、
請求項２０乃至３２の何れか一に記載の計量機の使用方法。
【請求項３４】
該計量機は、
対象物品の価格データ等との統合計算を行う機能を有し、
荷受処理、出荷処理、伝票発行及びネットワークを介してのこれらのデータの転送或いは送受信が可能であることを特徴とする、
請求項２０乃至３３の何れか一に記載の計量機の使用方法。
【発明の詳細な説明】
【技術分野】
【０００１】
本発明は、野菜・食品等を秤量するための計量機において、簡便な構成で効率の良い秤量が可能な、計量機及びその使用方法に関するものである。
【背景技術】
【０００２】
野菜・食品等の販売にあたっては、内容量を秤量し、規定の量目を下回らないようにする必要がある。表示された量目を下回れば、購買者を欺くことになるからである。しかし、徒に規定の量目からかけ離れて多量の商品を入れれば、コストアップに繋がり不経済である。
【０００３】
かかる矛盾は基本的にそれぞれ大きさ、形、重量ともに均一でない農産物において顕著である。例えば野菜の販売においても１本、１個、１株といった単位で販売されることはほとんどなく、ある程度の量目でパッキングして販売されることが主流であり、規定の量目を下回らず且つ最小となる組み合わせを秤量することが求められる。
【０００４】
量産ベースの食品工場や大規模な出荷センターなどでは対象となる商品を自動搬送し、組み合わせ計量機に載置、規定の重量以上且つ最小となる組み合わせを秤量して、これをホッパ等で選択的に排出して袋詰め等の包装まで行う自動機を導入し使用している例が多い。しかし、個別の農家や小規模の出荷組合等に於いては大規模で高価な自動機の組み合わせ計量機を導入する余裕はなく、手作業による秤量選別が行われているのが実情である。
【０００５】
簡便な構成で簡便な構成で効率の良い秤量が可能な計量機及びその使用方法が求められているが、効率の良い製品は実用化されていない。
【先行技術文献】
【特許文献】
【０００６】
【特許文献１】特開平８ー３１３３３３号公報
【特許文献２】特開２００２ー１６６２３２号公報
【特許文献３】特開２００８ー２９２１９４号公報
【発明の概要】
【発明が解決しようとする課題】
【０００７】
例えばイチゴのように１パックの量目がある程度大きく、単価の比較的高い秤量対象物の場合、規定の重量以上且つ最小となる組み合わせを秤量することが非常に重要となる。
【０００８】
これらの課題を解決するため、筆者らは、簡素な構成でコストが安く、効率の良い作業が可能な計量機或いは組み合わせ計量機及びそれらの使用方法を開発してきている。
【０００９】
前述したイチゴのように１パックの量目がある程度大きく、単価の比較的高い秤量対象物の場合、規定の重量以上且つ最小となる組み合わせを秤量するためには比較的大重量の範囲でも比較的高精度の秤量が可能な構成が必要である。
【００１０】
しかしながら、通常計量機に使用されている重量センサーであるロードセルは、その構造上計量対象となる重量範囲に対応したサイズのものを用いる必要があり、大重量に対応する場合は必然的にその精度が低くなり、前述のような用途に用いるには問題があった。
【００１１】
即ち、１パックの量目がある程度大きくなった場合、重量に対応するため大きめのロードセルを用いた計量機を使う必要があり、精度を犠牲にせざるを得ないことからその精度範囲をカバーする最低重量の設定が必要となり、１パックに必要以上の過大な割り当てを行うことが多くなってコスト的な不利を招いていた。
【００１２】
これらの課題を解決するため、例えばイチゴのように１パックの量目がある程度大きく、単価の比較的高い秤量対象物の場合でも、簡便な構成で効率の良い秤量が可能な、計量機及び計量機の使用方法が求められていた。
【課題を解決するための手段】
【００１３】
本発明は、野菜・食品等を秤量するための計量機において、該計量機は計量素子として複数のロードセルを備え、該複数のロードセルにより負荷分散して計量を行うことで精度を維持し、且つ、該複数のロードセルの計量値を合算することで比較的大きな重量範囲の計量にも対応できることを特徴とする、計量機であり、その使用方法である。
【００１４】
また本発明は、該複数のロードセルが計量皿に中心位置に対して均等な位置に配置されることを特徴とする。
【００１５】
また本発明は、該複数のロードセルが２個を用いる場合は計量皿の両側に配置され、３個を用いる場合は正三角形をなす配置且つその中心が計量皿に中心位置に合致する位置に配置され、４個を用いる場合は計量皿の４隅或いは４辺の中央位置に配置されることを特徴とする。
【００１６】
また本発明は、該計量皿がロードセルに連接された荷台上に着脱可能に載置されることを特徴とする。
【００１７】
また本発明は、該計量機が指示機構として発光素子及び／又は発音素子を備えることを特徴とし、該発光素子及び／又は発音素子により目標重量範囲に入っているか否か、或いは目標重量範囲からの軽重などの指示事項を報知することを特徴とする。さらに本発明は、該計量機に備えられる発光素子がＬＥＤ素子であることを特徴とし、或いは該計量機に備えられる発光素子がマトリクス表示素子であることを特徴とし、さらに該マトリクス表示素子がマトリクスＬＥＤ表示素子であることを特徴とする計量機であり、該発光素子により目標重量範囲に入っているか否か、或いは目標重量範囲からの軽重を報知し、作業者はこれに従いピックアップ或いは対象物の増減を行うことを特徴とする計量機の使用方法である。或いは、本発明は、該計量機に備えられる発音素子が音声合成素子であることを特徴とし、該計量機の音声合成素子による指示を行い、作業者はこれに従いピックアップ或いは対象物の増減を行うことを特徴とする計量機の使用方法である。
【００１８】
また本発明は、該計量機のマトリクスＬＥＤ表示素子による指示が、目標重量範囲に入っている場合は丸印等のオーケーサインを表示し、目標重量範囲を逸脱している場合は予め設定された１個あたりの標準重量に照らして引き去り或いは追加するべきこと、及び、引き去り或いは追加するべき個数を指示表示することを特徴とする計量機であり、作業者はこれに従いピックアップ或いは対象物の増減を行うことを特徴とする計量機の使用方法である。また本発明は、該計量機の音声合成素子による指示は、目標重量範囲に入っている場合は良好等のサインを発声し、目標重量範囲を逸脱している場合は予め設定された１個あたりの標準重量に照らして引き去り或いは追加するべき個数或いは重量、及び／又は、引き去り或いは追加された重量、及び／又は、現状の重量を示す発声を行うことを特徴とする計量機であり、作業者はこれに従いピックアップ或いは対象物の増減を行うことを特徴とする計量機の使用方法である。もちろん、前記の指示は発光素子及び発音素子の両方を用い、並行して行うことも有効である。
【００１９】
また本発明は、野菜・食品等を秤量するための計量機に用いるロードセルの設置において、該ロードセルは土台となるフレーム上に嵩上げ治具を介して螺子とナットにより固定されていることを特徴とする計量機である。
【００２０】
また本発明は、該ロードセルを固定するフレームは長さを有し、複数のロードセルが土台となるフレーム上に嵩上げ治具を介して螺子とナットにより固定されていることを特徴とする。
【００２１】
また本発明は、野菜・食品等を秤量するための計量機に用いるロードセルの設置において、該ロードセルは土台となるフレーム上に嵩上げ治具を介して螺子とナットにより固定され、更に、該フレーム上にはロードセル限界止め部材が設置され、該限界止め部材は該嵩上げ治具より０．０５乃至３mmの範囲で高さが低いものを用いることを特徴とする計量機である。
【００２２】
また本発明は、該嵩上げ治具及び／又は該限界止め部材が金属製或いは樹脂製であることを特徴とする。
【００２３】
また本発明は、該計量機に用いられる計量皿が合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする。
【００２４】
また本発明は、該計量機がソフトウェアの追加或いは既に搭載されたソフトウェアの切り替えにより、重量ランク選別（１個あたりの重さによるＳ・Ｍ・Ｌなどの重量ランクの選別計量）にも用いられることを特徴とする。
【００２５】
また本発明は、該計量機がＵＳＢメモリを含む外部記憶装置を接続する機構を有し、データの保管及び管理が可能であることを特徴とする。
【００２６】
また本発明は、該計量機が対象物品の価格データ等との統合計算を行う機能を有し、荷受処理、出荷処理、伝票発行及びネットワークを介してのこれらのデータの転送或いは送受信が可能であることを特徴とする。
【発明の効果】
【００２７】
本発明に係る計量機及び計量機の使用方法は、例えばイチゴのように１パックの量目がある程度大きく、単価の比較的高い秤量対象物の場合でも、簡便な構成で効率の良い秤量が可能となり、計量機の用途を拡大することを可能とし、作業効率を向上させ、もって社会に資することが出来る。
【図面の簡単な説明】
【００２８】
【図１】図１は、本発明に係る計量機の構成を説明するための概念図である。
【図２】図２は、本発明に係る計量機のロードセル設置形態を説明するための概念図である。
【図３】図３は、本発明に係る計量機のロードセル限界止め部材の設置形態を説明するための概念図である。
【発明を実施するための形態】
【００２９】
本発明は、野菜・食品等を秤量するための計量機において、該計量機は計量素子として複数のロードセルを備え、該複数のロードセルにより負荷分散して計量を行うことで精度を維持し、且つ、該複数のロードセルの計量値を合算することで比較的大きな重量範囲の計量にも対応できることを特徴とする、計量機であり、その使用方法である。これにより、例えばイチゴのように１パックの量目がある程度大きく、単価の比較的高い秤量対象物の場合でも、簡便な構成で高精度の秤量が可能となった。
【００３０】
また本発明は、該複数のロードセルが計量皿に中心位置に対して均等な位置に配置されることを特徴とする。
【００３１】
また本発明は、該複数のロードセルが２個を用いる場合は計量皿の両側に配置され、３個を用いる場合は正三角形をなす配置且つその中心が計量皿に中心位置に合致する位置に配置され、４個を用いる場合は計量皿の４隅或いは４辺の中央位置に配置されることを特徴とする。
【００３２】
かかる構成とすることにより、複数のロードセルを用いても負荷の偏りを最小限に抑えることができ、精度の維持に有効であった。
【００３３】
また本発明は、該計量皿がロードセルに連接された荷台上に着脱可能に載置されることを特徴とする。これにより、利便性が向上するとともに、例えばイチゴなどの場合はパックをそのまま計量皿に替えて載置することで作業の効率化にも寄与することができる。
【００３４】
また本発明は、該計量機が指示機構として発光素子及び／又は発音素子を備えることを特徴とし、該発光素子及び／又は発音素子により目標重量範囲に入っているか否か、或いは目標重量範囲からの軽重などの指示事項を報知することを特徴とする。さらに本発明は、該計量機に備えられる発光素子がＬＥＤ素子であることを特徴とし、或いは該計量機に備えられる発光素子がマトリクス表示素子であることを特徴とし、さらに該マトリクス表示素子がマトリクスＬＥＤ表示素子であることを特徴とする計量機であり、該発光素子により目標重量範囲に入っているか否か、或いは目標重量範囲からの軽重を報知し、作業者はこれに従いピックアップ或いは対象物の増減を行うことを特徴とする計量機の使用方法である。或いは、本発明は、該計量機に備えられる発音素子が音声合成素子であることを特徴とし、該計量機の音声合成素子による指示を行い、作業者はこれに従いピックアップ或いは対象物の増減を行うことを特徴とする計量機の使用方法である。
【００３５】
また本発明は、該計量機のマトリクスＬＥＤ表示素子による指示が、目標重量範囲に入っている場合は丸印等のオーケーサインを表示し、目標重量範囲を逸脱している場合は予め設定された１個あたりの標準重量に照らして引き去り或いは追加するべきこと、及び、引き去り或いは追加するべき個数を指示表示することを特徴とする計量機であり、作業者はこれに従いピックアップ或いは対象物の増減を行うことを特徴とする計量機の使用方法である。また本発明は、該計量機の音声合成素子による指示は、目標重量範囲に入っている場合は良好等のサインを発声し、目標重量範囲を逸脱している場合は予め設定された１個あたりの標準重量に照らして引き去り或いは追加するべき個数或いは重量、及び／又は、引き去り或いは追加された重量、及び／又は、現状の重量を示す発声を行うことを特徴とする計量機であり、作業者はこれに従いピックアップ或いは対象物の増減を行うことを特徴とする計量機の使用方法である。もちろん、前記の指示は発光素子及び発音素子の両方を用い、並行して行うことも有効である。
【００３６】
かかる使用方法により、作業スピードの向上が実現されるとともにイチゴなどの痛みやすい秤量対象物においてタッチ数を減らし、品質保持の面でも有効であった。
【００３７】
また本発明は、野菜・食品等を秤量するための計量機に用いるロードセルの設置において、該ロードセルは土台となるフレーム上に嵩上げ治具を介して螺子とナットにより固定されていることを特徴とする計量機である。
【００３８】
また本発明は、該ロードセルを固定するフレームは長さを有し、複数のロードセルが土台となるフレーム上に嵩上げ治具を介して螺子とナットにより固定されていることを特徴とする。
【００３９】
また本発明は、野菜・食品等を秤量するための計量機に用いるロードセルの設置において、該ロードセルは土台となるフレーム上に嵩上げ治具を介して螺子とナットにより固定され、更に、該フレーム上にはロードセル限界止め部材が設置され、該限界止め部材は該嵩上げ治具より０．０５乃至３mmの範囲で高さが低いものを用いることを特徴とする計量機である。
【００４０】
また本発明は、該嵩上げ治具及び／又は該限界止め部材が金属製或いは樹脂製であることを特徴とする。
【００４１】
かかる構成とすることにより、簡便かつローコストで、大重量に対応可能で且つ高精度の計量機を実現することができた。
【００４２】
また本発明は、該計量機に用いられる計量皿が合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする。
【００４３】
また本発明は、該計量機がソフトウェアの追加或いは既に搭載されたソフトウェアの切り替えにより、重量ランク選別（１個あたりの重さによるＳ・Ｍ・Ｌなどの重量ランクの選別計量）にも用いられることを特徴とする。
【００４４】
また本発明は、該計量機がＵＳＢメモリを含む外部記憶装置を接続する機構を有し、データの保管及び管理が可能であることを特徴とする。
【００４５】
また本発明は、該計量機が対象物品の価格データ等との統合計算を行う機能を有し、荷受処理、出荷処理、伝票発行及びネットワークを介してのこれらのデータの転送或いは送受信が可能であることを特徴とする。
【００４６】
これらの機能を備えることで、出荷時の煩雑な作業が軽減されるとともに、データの蓄積も可能となり、かかるデータを爾後の生産等に活用することも可能となった。
【実施例１】
【００４７】
以下、本発明の実施の例を図面を用いて説明する。図１は、本発明に係る計量機の構成を説明するための概念図である。本実施例に於いては、１個の計量部位に対して１本の土台２に２つのロードセル１を装備し、２つの荷台４でもって計量皿５を受ける構造とした。荷台４は計量皿５の左右均等な位置に存在し、負荷重量を複数のロードセルで分担して計測するようにしている。ロードセルは、土台にロードセル固定螺子３で固定した。
【００４８】
ここで、本実施例ではロードセル２個を用いる場合を示すが、３個を用いる場合は正三角形をなす配置且つその中心が計量皿に中心位置に合致する位置に配置するとよく、４個を用いる場合は計量皿の４隅或いは４辺の中央位置に配置することで好適に用いられる。さらに、５個以上であっても使用することは可能であるが、コストアップとデータ処理の煩雑さから４個までが有効であると考えられる。
【００４９】
計量皿５は、ロードセル１に連接された荷台４上に着脱可能に載置される。本実施例の場合は、秤量対象はイチゴであり、計量皿はイチゴのパックをそのまま用いることとした。
【００５０】
本発明は、該計量機が指示機構として発光素子を備え、該発光素子により目標重量範囲に入っているか否か、或いは目標重量範囲からの軽重を報知することを特徴とする。本実施例の場合は、マトリクスＬＥＤ表示素子を用い、目標重量範囲に入っている場合は青丸を、目標重量範囲より重い場合は予め設定された１個あたりの標準重量に照らして引き去りすべき個数を赤字で「ー」（マイナス記号）付きで表示し、目標重量範囲より軽い場合は予め設定された１個あたりの標準重量に照らして追加すべき個数を赤字で「＋」（プラス記号）付きで表示し、作業者はこれに従いピックアップ或いは対象物の増減を行うようにした。ここで、表示方法は本実施例に限らず、さまざまな指示記号等を用いることができる。また、発光素子はマトリクスＬＥＤ表示素子以外でも良い。さらに、発音素子として音声合成素子を備え、これにより、或いは発光素子と併用して指示を行うことも有効である。
【００５１】
図２は、本発明に係る計量機のロードセル設置形態を説明するための概念図である。本実施例においては、ロードセルの設置時に土台２として市販のアルミフレームを用い、フレームにナット７を挿入した状態で嵩上げ治具８を介してロードセル１をロードセル固定螺子３で固定した。かかる構成とすることで、市販部品のみで低コストでロードセルの固定設置が可能となる。
【００５２】
図３は、本発明に係る計量機のロードセル限界止め部材の設置形態を説明するための概念図である。ロードセルは、負荷重量に応じた本体の歪みにより重量を計測する素子であり、検出可能な重量（即ち歪み量）には限界があり、これを超えるとエラーとなったり素子が損傷する原因となる。そのため、本実施例ではロードセル限界止め部材９を設置してかかるリスクを低減するようにした。
【００５３】
ロードセル限界止め部材９は嵩上げ治具８より０．０５乃至３mmの範囲で高さが低いものを用いることができる。本実施例では、嵩上げ治具より０．１mm低いものを用いた。ロードセル限界止め部材９及び嵩上げ治具８としては金属製或いは樹脂製のものが好適に用いられるが、本実施例では嵩上げ治具８として市販の金属ワッシャを、ロードセル限界止め部材９として加工した鉄板を用いた。
【００５４】
計量機に用いられる計量皿としては、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたものが好適に用いられる。
【００５５】
なお本発明の計量機は、前記のようにソフトウェアの追加或いは既に搭載されたソフトウェアの切り替えにより、組み合わせ計量、親子計量（複数の秤量部位のうち１箇所或いは複数箇所をメインの秤量に割り当て、少量の追加により組み合わせを得る計量方法）或いは重量ランク選別（１個あたりの重さによるＳ・Ｍ・Ｌなどの重量ランクの選別計量）としても用いることができる。
【００５６】
また本発明の計量機は、ＵＳＢメモリを含む外部記憶装置を接続する機構を有し、データの保管及び管理が可能とすることも出来、さらに、該計量機が対象物品の価格データ等との統合計算を行う機能を有し、荷受処理、出荷処理、伝票発行及びネットワークを介してのこれらのデータの転送或いは送受信が可能とすることも出来るため、例えば季節により出荷品目、対象商品が変わった場合にも容易に低コストで対応することができる。
【００５７】
以上述べてきたように、本発明に係る計量機及び計量機の使用方法は、簡便な構成で効率の良い秤量が可能となり、計量機の用途を拡大することを可能とし、作業効率を向上させ、さらに個別の農家や小規模の出荷組合等に於いても導入可能となり、作業効率の向上と農家所得の増大に与って効果のあるものとなった。
【産業上の利用可能性】
【００５８】
本発明に係る計量機及び計量機の使用方法は、例えばイチゴのように１パックの量目がある程度大きく、単価の比較的高い秤量対象物の場合でも、簡便な構成で効率の良い秤量が可能となり、また低コストで導入可能で計量機の用途を拡大することを可能とし、作業効率を向上させ、産業上の利用可能性は大である。
【符号の説明】
【００５９】
１    ロードセル
２    土台
３    ロードセル固定螺子
４    荷台
５    計量皿
６    秤量対象物
７    ナット
８    嵩上げ治具
９    ロードセル限界止め部材
【図１】
2020056645.tif 000003
【図２】
2020056645.tif 000004
【図３】
2020056645.tif 000005